(57)【要約】【課題】  本発明によれば、放射線検出器の配置又は撮像部位情報に応じて検知感度を調整することで、放射線検出器の検知感度を適切に設定することができる。【解決手段】  本発明に係る放射線撮像装置は、放射線を検出して放射線データを出力する検出手段と、前記検出手段の配置を設定する配置設定手段と、前記検出手段の配置に基づいて、前記検出手段の感度を設定する感度設定手段と、前記検出手段の感度に基づいて、前記検出手段における前記放射線の照射の有無を判定する判定手段と、を備える。【選択図】  図１
2017217032.tif 000002
【特許請求の範囲】
【請求項１】
放射線を検出して放射線データを出力する検出手段と、
前記検出手段の配置を設定する配置設定手段と、
前記検出手段の配置に基づいて、前記検出手段の感度を設定する感度設定手段と、
前記検出手段の感度に基づいて、前記検出手段における前記放射線の照射の有無を判定する判定手段と、
を備えることを特徴とする放射線撮像装置。
【請求項２】
複数の前記検出手段を備え、
前記配置設定手段は、前記複数の検出手段の配置を設定し、
前記感度設定手段は、前記複数の検出手段の前記配置に基づいて前記感度を設定し、
前記判定手段は、前記複数の検出手段の前記感度に基づいて前記放射線の照射の有無を判定することを特徴とする請求項１に記載の放射線撮像装置。
【請求項３】
前記感度設定手段は、前記放射線の照射範囲の中央から遠くに配置される前記検出手段ほど、前記感度を大きく設定することを特徴とする請求項１又は２に記載の放射線撮像装置。
【請求項４】
前記感度設定手段は、前記検出手段を複数の領域に分割し、前記放射線の照射範囲の中央から遠くに配置される前記領域ほど、前記感度を大きく設定することを特徴とする請求項１又は２に記載の放射線撮像装置。
【請求項５】
前記検出手段は、複数の放射線検出器であって、
前記感度設定手段は、前記放射線の照射範囲の中央から遠くに配置される前記放射線検出器ほど、前記感度を大きく設定することを特徴とする請求項１又は２に記載の放射線撮像装置。
【請求項６】
前記感度設定手段は、複数の前記放射線検出器の重複領域の前記感度を、前記重複領域以外の領域の前記感度よりも大きく設定することを特徴とする請求項５に記載の放射線撮像装置。
【請求項７】
被検体の撮像部位情報を設定する情報設定手段と、
前記感度設定手段は、前記撮影部位情報に基づいて前記感度を設定することを特徴とする請求項１乃至６の何れか１項に記載の放射線撮像装置。
【請求項８】
前記判定手段は、前記感度に基づいて設定された検知閾値と、前記検出手段で計測された前記放射線の強度を比較することにより、前記放射線の照射の有無を判定することを特徴とする請求項１乃至７の何れか１項に記載の放射線撮像装置。
【請求項９】
前記判定手段によって前記放射線の照射が有りと判定された場合、前記検出手段は、前記放射線に応じた電荷を蓄積することを特徴とする請求項１乃至８に記載の放射線撮像装置。
【請求項１０】
前記判定手段によって前記放射線の照射が有りと判定された場合、前記検出手段は、前記放射線に基づく前記放射線データを出力することを特徴とする請求項１乃至９の何れか１項に記載の放射線撮像装置。
【請求項１１】
前記検出手段から出力された前記放射線データを合成して画像データを生成する画像生成手段を備えることを特徴とする請求項１０に記載の放射線撮像装置。
【請求項１２】
前記判定手段によって前記放射線の照射が無しと判定された場合、前記検出手段は前記放射線の強度を再計測することを特徴とする請求項１乃至１１の何れか１項に記載の放射線撮像装置。
【請求項１３】
放射線を発生させる放射線発生手段と、
所定の感度により前記放射線を検知し、放射線データを出力する検出手段と、
前記検出手段の配置を設定する配置設定手段と、
前記配置に基づいて前記感度を設定する感度設定手段と、
前記感度に基づいて前記放射線の照射の有無を判定する判定手段と、
を備えることを特徴とする放射線撮像システム。
【請求項１４】
所定の感度により放射線を検知し、放射線データを出力する工程と、
前記検出手段の配置を設定する工程と、
前記配置に基づいて前記感度を設定する工程と、
前記感度に基づいて前記放射線の照射の有無を判定する工程と、
を備えることを特徴とする放射線撮像方法。
【請求項１５】
コンピュータを請求項１乃至１２の何れか１項に記載の放射線撮像装置の各手段として機能させるためのプログラム。
【発明の詳細な説明】
【技術分野】
【０００１】
本発明は、放射線撮像装置、放射線撮像システム、放射線撮像方法、及びプログラムに関する。
【背景技術】
【０００２】
近年、ＴＦＴアクティブマトリクス基板上に蛍光体を配置し、放射線を電荷信号として蓄積し、それをデジタル信号に変換して診断画像を提供する放射線検出器（ＦＰＤ：Ｆｌａｔ Ｐａｎｅｌ Ｄｅｔｅｃｔｏｒ）が実用化され、用いられている。
【０００３】
モダリティの撮影媒体を放射線検出器にすると、放射線発生装置と放射線検出器との間のインターフェースの構築が困難な場合が生じ得る。これに対応する方法として、例えば、特許文献１や特許文献２では、放射線発生装置と放射線検出器との間のインターフェースを設けずに、放射線検出器側で放射線の照射開始を検知し、自動的に蓄積動作を開始する放射線検出器が提案されている。
【０００４】
例えば、特許文献１では、撮影メニュー選択時のＴＦＴ温度に基づいて放射線の照射開始を検知する感度（閾値）を制御する技術が提案されており、また、特許文献２では、リセット動作時のＶＳ信号値に基づいて検知感度を制御する技術が提案されている。
【０００５】
ところで、複数の放射線検出器を隣接又はその端部を重ねて配置し、あたかも１枚の大きな放射線検出器のように扱うことにより人体などの被検体の広範囲を撮影する、いわゆる長尺撮影と呼ばれる撮影手法がある。
【先行技術文献】
【特許文献】
【０００６】
【特許文献１】特開２０１２−０８３３０７号公報
【特許文献２】特開２０１１−１８５６２２号公報
【発明の概要】
【発明が解決しようとする課題】
【０００７】
長尺撮影は放射線の照射範囲が広いため、撮影範囲の辺縁部は中央部に比べ到達する放射線が弱くなる傾向にある。また、人体などの被検体の広範囲を撮影するため、各放射線検出器の撮影範囲に対応する被検体の位置や形状に依存して、各放射線検出器に到達する放射線の強度が変化する。このような状況において、従来技術による感度の設定方法は、各放射線検出器で略同等の検知感度を設定するため、一部の放射線検出器で検知漏れや誤検知の生じるおそれがある。
【０００８】
本発明は、放射線の放射線検出器の検知感度を適切に設定する放射線撮像装置を提供することを目的とする。
【課題を解決するための手段】
【０００９】
本発明に係る放射線撮像装置は、放射線を検出して放射線データを出力する検出手段と、前記検出手段の配置を設定する配置設定手段と、前記検出手段の配置に基づいて、前記検出手段の感度を設定する感度設定手段と、前記検出手段の感度に基づいて、前記検出手段における前記放射線の照射の有無を判定する判定手段と、を備える。
【発明の効果】
【００１０】
本発明によれば、放射線検出器の配置又は撮像部位情報に応じて検知感度を調整することで、放射線検出器の検知感度を適切に設定することができる。
【図面の簡単な説明】
【００１１】
【図１】第１の実施形態に係る放射線撮像装置の機能構成を示す図である。
【図２】第１の実施形態における放射線検出器の機能構成を示す図である。
【図３】第１の実施形態における処理の流れを説明する図である。
【図４】第２の実施形態に係る放射線撮像装置の機能構成を示す図である。
【図５】第２の実施形態における処理の流れを説明する図である。
【図６】撮影部位と設定する検知感度を説明する図である。
【発明を実施するための形態】
【００１２】
以下、本発明の実施形態に係る放射線撮像装置について添付図面を参照して詳細に説明する。なお、以下の記述でフォトダイオードを用いた放射線検出器を例として説明するが、本発明は放射線を直接電子に変換する直接型放射線検出器など他の放射線検出器においても適用可能である。
【００１３】
＜第１の実施形態＞
図１は、第１の実施形態に係る放射線撮像装置１００の機能構成を示す図である。放射線撮像装置１００を含む放射線撮像システムの放射線発生部１０１は、被検体１０３に放射線を照射する。放射線発生装置１０４は、曝射スイッチの押下で放射線発生部１０１に高電圧パルスを与え、放射線を発生させる。
【００１４】
放射線検出器１０２（ＦＰＤ）は、所定の感度（検知感度）により放射線を検知し、放射線データを出力する。放射線検出器１０２は、制御部１０５に制御されて、被検体１０３を通過した放射線を蛍光体により可視光に変換し、フォトダイオードで検出する。検出された電気信号はデジタルデータにＡＤ変換され、画像データとして制御部１０５に送信される。本実施形態では、複数の放射線検出器（ＦＰＤ）１０２と制御部１０５が備えられる。放射線検出器１０２と制御部１０５を３セット使用して、長尺撮影が行われる。
【００１５】
制御部１０５は、１つ又は複数のコンピュータのＣＰＵバス１０６に接続されている。ＣＰＵバス１０６には、さらに配置設定部１０７、検知感度設定部（感度設定部）１０９、画像処理部１１０、画像保存部１１１、操作部１１２、及び表示部１１３が接続されている。
【００１６】
また、一般的なコンピュータに備えられているＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、グラフィック制御部、及びネットワーク通信部なども、ＣＰＵバス１０６に接続されている。ＣＰＵが、ＲＯＭ又はＲＡＭに記憶されたプログラムを実行することによりコンピュータ全体が制御される。
【００１７】
配置設定部１０７は、放射線検出器１０２（ＦＰＤ）の配置を設定する。本実施形態では、配置設定部１０７は、複数の放射線検出器１０２（ＦＰＤ）の配置を設定し、長尺撮影時の各放射線検出器１０２ａ，１０２ｂ，１０２ｃの並び順を設定することが可能である。
【００１８】
検知感度設定部１０９は、放射線検出器１０２（ＦＰＤ）の配置に基づいて、放射線検出器１０２の感度を設定する。本実施形態では、検知感度設定部１０９は、複数の放射線検出器１０２（ＦＰＤ）の配置に基づいて感度を設定する。検知感度設定部１０９は、長尺撮影時の各放射線検出器１０２ａ，１０２ｂ，１０２ｃの放射線の照射開始を検知する感度を、それぞれ対応する制御部１０５ａ，１０５ｂ，１０５ｃを介して設定する。
【００１９】
画像処理部１１０は、前処理部１２０、画像合成部１２１、及び診断用画像処理部１２２を備える。前処理部１２０は、放射線検出器の固体撮像素子の特性ばらつきを補正するためのオフセット補正、感度補正、及び画素補正などの前処理を行うことが可能である。画像合成部（画像生成部）１２１は、放射線検出器から出力された放射線データを合成して画像データを生成する。画像合成部１２１は、複数の放射線検出器で撮像された複数の画像データを合成して、一つの画像データを生成する。診断用画像処理部１２２は、階調処理、ダイナミックレンジ処理、及び空間周波数処理などの診断用画像処理を行うことが可能である。
【００２０】
画像保存部１１１は、制御部１０５から出力されたデジタル信号や画像処理部１１０で処理された画像データを保存する。操作部１１２は、画像処理部１１０、制御部１０５、及び配置設定部１０７に指示を入力する。表示部１１３は、画像処理部１１０で処理した画像データをモニタに表示する。
【００２１】
次に、放射線検出器１０２の機能構成を説明する。図２は、放射線検出器１０２の機能構成を示す図であり、Ｉ／Ｆ部２０１（インターフェース部）は、制御部１０５と接続され、制御信号の受信及び画像データの送信を行う。
【００２２】
検知判定閾値設定部（閾値設定部）２０２は、Ｉ／Ｆ部２０１が受信した制御信号に基づいて、後に説明する放射線照射判定部（判定部）２０４が放射線の照射開始を判定するための閾値（検知閾値）を設定する。
【００２３】
放射線照射判定部２０４は、検知感度設定部１０９により設定された感度に基づいて放射線の照射の有無を判定する。本実施形態では、放射線照射判定部２０４は、複数の放射線検出器（ＦＰＤ）１０２の感度に基づいて放射線の照射の有無を判定する。具体的には、放射線照射判定部２０４は、感度に基づいて設定された検知閾値と、放射線検出器（ＦＰＤ）１０２で計測された放射線の強度を比較することにより、放射線の照射の有無を判定する。
【００２４】
また、放射線撮像装置の放射線検出器１０２は、検知した放射線の強度に応じた検知情報を出力する撮像部２０３と、この検知情報と検知判定閾値設定部２０２が設定した閾値に基づいて、放射線の照射開始を判定する放射線照射判定部２０４とを備える。
【００２５】
放射線撮像装置の放射線検出器１０２は、放射線照射判定部２０４の判定結果に応じて撮像部２０３の撮像動作を制御する駆動制御部２０５と、撮像部２０３の固体撮像素子に蓄積された電荷を電気信号として読み出し画像データを生成するＡ／Ｄ変換部２０６を備える。
【００２６】
本実施形態では、放射線照射判定部２０４によって放射線の照射が有りと判定された場合、放射線検出器１０２は、放射線に応じた電荷を蓄積し、放射線に基づく放射線データを出力する。
【００２７】
次に、図３を用いて、放射線撮像装置１００で実行される長尺撮影方法における処理の流れについて説明する。まず、ステップＳ３０１で配置設定部１０７の作用により、長尺撮影に用いる放射線検出器１０２ａ，１０２ｂ，１０２ｃの配置を設定する。ここで設定する放射線検出器の配置とは、各放射線検出器の相互の位置関係を表し、より具体的には各放射線検出器の並ぶ順序である。
【００２８】
ここで、例えば、図１の撮影範囲の垂直方向に対して上から順に放射線検出器１０２ａ，１０２ｂ，１０２ｃの配置で長尺撮影を実施すると設定する。配置は、操作者が操作部１１２を利用して設定可能である。もしくは、各放射線検出器に相互の位置関係を認識する手段を設け、その情報に基づいて自動的に配置を設定しても構わない。
【００２９】
続いて、ステップＳ３０２で、検知感度設定部１０９の作用により、ステップＳ３０１で設定した放射線検出器配置に基づいて、各放射線検出器１０２ａ，１０２ｂ，１０２ｃの放射線照射開始を検知する検知感度を設定する。本実施形態では、放射線発生部１０１から放射される放射線は、中央に配置された放射線検出器１０２ｂの中心に向けて放射されるものとする。各放射線検出器１０２ａ，１０２ｂ，１０２ｃの検知感度Ｓａ，Ｓｂ，Ｓｃを各放射線検出器１０２に到達する放射線の強度に合わせて式（１）のように算出する。
【００３０】
Ｓｂ＝Ｓｂａｓｅ
Ｓａ＝Ｓｃ＝Ｓｂａｓｅ・（Ｄ２＋Ｌ２）／Ｄ２    ・・・・・（１）
【００３１】
ここで、Ｓｂａｓｅは、放射線検出器１０２を長尺ではない通常の撮影で単体使用する場合の検知感度（基準検知感度）であり、予め適切に設定されるものとする。また、Ｄは、放射線発生部１０１と中央に配置された放射線検出器１０２ｂの中心との距離であり、Ｌは、図１の各放射線検出器の垂直方向のサイズである。
【００３２】
式（１）により、放射線検出器１０２ｂと比べて、到達線量の低下した放射線検出器１０２ａ及び１０２ｃの検知感度は、到達線量の低下量に応じて高く算出される。算出された検知感度は、それぞれ対応する放射線検出器１０２ａ，１０２ｂ，１０２ｃに制御部１０５ａ，１０５ｂ，１０５ｃを介して伝達される。このように、検知感度設定部１０９は、放射線の照射範囲の中央から遠くに配置される放射線検出器（ＦＰＤ）１０２ほど、感度を大きく設定する。
【００３３】
検知感度設定部１０９は、放射線検出器（ＦＰＤ）１０２を複数の領域（放射線検出器１０２ａ，１０２ｂ，１０２ｃ）に分割し、放射線の照射範囲の中央から遠くに配置される領域ほど、感度を大きく設定する。本実施形態では、検知感度設定部１０９は、放射線の照射範囲の中央から遠くに配置される放射線検出器１０２ａ，１０２ｂ，１０２ｃほど、感度を大きく設定する。
【００３４】
また、検知感度設定部１０９は、複数の放射線検出器１０２ａ，１０２ｂ，１０２ｃの重複領域の感度を、重複領域以外の領域の感度よりも大きく設定してもよい。放射線検出器（ＦＰＤ）１０２の重複領域の感度を大きく設定することにより、重複領域における前面の放射線検出器１０２で減弱された放射線を、背面の放射線検出器１０２が適切に検知することができる。
【００３５】
次に、ステップＳ３０３で検知判定閾値設定部２０２の作用により、ステップＳ３０２で、各放射線検出器１０２ａ，１０２ｂ，１０２ｃに伝達された検知感度に基づいて、放射線照射開始を判定する検知判定閾値を設定する。
【００３６】
後で説明するが、本実施形態の放射線検出器１０２は、撮像部２０３の固体撮像素子から出力される電荷情報（ＶＳ信号値）を検知情報として利用するため、ここでは検知判定閾値として、ＶＳ信号値に対する閾値ＴＨを設定する。放射線検出器１０２ａ，１０２ｂ，１０２ｃのそれぞれの検知判定閾値ＴＨａ，ＴＨｂ，ＴＨｃの算出方法は、固体撮像素子の特性に依存するが、ここでは単純な線形モデルである式（２）を用いて算出する。
【００３７】
ＴＨａ＝ｍ／Ｓａ＋ｎ
ＴＨｂ＝ｍ／Ｓｂ＋ｎ
ＴＨｃ＝ｍ／Ｓｃ＋ｎ    ・・・・・（２）
【００３８】
ここで、ｍ，ｎは定数であり、放射線検出器１０２を通常の撮影で単体使用する場合に、検知感度の設定に応じて適切に放射線を検知可能なように、予め実験やキャリブレーションなどにより算出されているものとする。
【００３９】
次に、ステップＳ３０４で操作部１１２からの入力に基づいて、制御部１０５ａ，１０５ｂ，１０５ｃは、撮影準備の指示を出力する。制御部１０５ａ，１０５ｂ，１０５ｃの撮影準備の指示は、それぞれ対応する放射線検出器１０２ａ，１０２ｂ，１０２ｃのＩ／Ｆ部２０１を介して駆動制御部２０５に入力される。
【００４０】
駆動制御部２０５は、撮影準備の指示を受信すると、撮像部２０３を制御して撮像部２０３を待機状態にする。これにより、放射線検出器１０２ａ，１０２ｂ，１０２ｃは、放射線発生部１０１から照射された放射線を検知可能な待機状態に遷移する。
【００４１】
放射線を検知可能な待機状態に遷移した各放射線検出器１０２の撮像部２０３は、電荷を蓄積する素子、いわゆる固体撮像素子から出力されるバイアス線の電流値（ＶＳ信号値）を継続して出力し続ける。
【００４２】
次に、ステップＳ３０５で、放射線照射判定部２０４の作用により放射線が照射されたか否かの判定を行う。単純な判定方法として、撮像部２０３が出力するＶＳ信号値がステップＳ３０３で設定した検知判定閾値ＴＨを超えた場合に、放射線の照射ありと判定することができる。また、ノイズの影響を軽減するため、撮像部２０３が出力するＶＳ信号値が一定期間連続して検知判定閾値ＴＨを超えた場合に放射線の照射ありと判定してもよい。
【００４３】
ステップＳ３０６で、駆動制御部２０５は、放射線照射判定部２０４から放射線照射の有無判定処理の結果を受信する。そして、駆動制御部２０５は、有無判定処理の結果に応じて制御内容を切り替える。放射線照射判定部２０４により放射線照射なしと判定された場合、駆動制御部２０５は、撮像部２０３を制御してＶＳ信号値の出力を継続させ、各放射線検出器１０２が放射線を検知可能な待機状態を継続する（Ｓ３０６−Ｎｏ）。放射線照射判定部２０４によって放射線の照射が無しと判定された場合、放射線検出器１０２は放射線の強度を再計測する。
【００４４】
一方、放射線照射判定部２０４により放射線照射ありと判定された場合、駆動制御部２０５は処理をステップＳ３０７に進める（Ｓ３０６−Ｙｅｓ）。
【００４５】
ステップＳ３０５及びＳ３０６において放射線照射ありと判定した場合に、ステップＳ３０７で、駆動制御部２０５は、撮像部２０３から蓄積された電荷に基づく画像を取得するための制御を行う。すなわち、駆動制御部２０５は、電荷の電気信号に基づく画像を取得するためにＡ／Ｄ変換部２０６を制御する。
【００４６】
駆動制御部２０５の制御に従い、Ａ／Ｄ変換部２０６は、撮像部２０３の固体撮像素子に蓄積された電荷を電気信号として読み出し画像データを生成する。Ａ／Ｄ変換部２０６で生成された画像データは、Ｉ／Ｆ部２０１を介して制御部１０５に送信される。制御部１０５は、受信した画像データを画像保存部１１１や不図示のＲＡＭに保存する。
【００４７】
次に、ステップＳ３０８で、画像処理部１１０は、画像保存部１１１や不図示のＲＡＭに記憶された画像データに対して画像処理を施す。画像処理部１１０は、例えば、放射線検出器の固体撮像素子の特性ばらつきを補正するためのオフセット補正、感度補正、及び画素補正などの前処理を行うことが可能である。また、画像処理部１１０は、複数の放射線検出器から受信した複数の画像データを結合して長尺画像を生成する画像合成処理、階調処理、ダイナミックレンジ処理、及び空間周波数処理などの診断用画像処理を行うことが可能である。
【００４８】
そして、ステップＳ３０９で、表示部１１３は、画像処理部１１０で画像処理された画像データをモニタに表示し、放射線撮像装置１００における処理を終了する。
【００４９】
以上のように、本実施形態によれば、放射線検出器の配置に応じて検知感度を調整することで、放射線検出器の検知感度を適切に設定することができる。
【００５０】
＜第２の実施形態＞
第１の実施形態の放射線撮像装置１００では、放射線検出器の配置に基づいて各放射線検出器１０２の放射線の照射開始を検知する感度（閾値）を制御する構成を説明した。本実施形態では、被検体の位置や形状に基づいて各放射線検出器１０２の放射線の照射開始を検知する感度（閾値）を制御する放射線撮像装置を説明する。
【００５１】
図４は、第２の実施形態に係る放射線撮像装置４００の機能構成を示す図である。第１の実施形態の放射線撮像装置１００との差異は、配置設定部１０７の代わりに、被検体の撮影部位、方向、及び体格などの被検体情報（撮影部位情報）を設定する撮影部位設定部（情報設定部）４０７を備えることである。その他の放射線撮像装置の構成については、第１の実施形態で用いた放射線撮像装置１００と同等の構成であるため、重複した説明は省略する。
【００５２】
次に、図５を用いて、図４に示す放射線撮像装置４００における処理の流れについて説明する。まず、ステップＳ５０１で撮影部位設定部４０７の作用により、長尺撮影の撮影対象である被検体の撮影部位、方向、及び体格などの被検体情報を設定する。
【００５３】
一般的な長尺撮影の撮影部位には、頚椎から仙椎まで脊椎全体を撮影範囲に含める“全脊椎”や骨盤から踵まで下肢全体を撮影範囲に含める“下肢全長”などが存在する。一般的な長尺撮影の撮影方向は、“正面”又は“側面”である。体格については、被検体の身長に応じて“大（１６０ｃｍ以上）”又は“小（１６０ｃｍ未満）”を設定する。
【００５４】
被検体情報の設定は、操作者が操作部１１２を利用してそれぞれの項目を個別に設定してもよいし、予め“全脊椎・正面・大”のようにプリセットされたプロトコルを選択しても構わない。もしくは、被検体情報は、施設内のイントラネットなどの通信網を介して、一般にＨＩＳ／ＲＩＳなどと呼ばれる検査情報の管理端末から自動で設定されても構わない。
【００５５】
続いて、検知感度設定部１０９は、撮影部位情報に基づいて放射線検出器（ＦＰＤ）１０２の感度を設定する。本実施形態では、ステップＳ５０２で検知感度設定部１０９の作用により、ステップＳ５０１で設定した撮影部位の情報に基づいて、各放射線検出器１０２ａ，１０２ｂ，１０２ｃの放射線照射開始を検知する検知感度Ｓａ，Ｓｂ，Ｓｃを設定する。本実施形態では、人体形状に関する調査に基づいて予め定めた検知感度が設定されるものとし、その一例を図６に示す。
【００５６】
図６によれば、撮影対象である被検体の撮影部位、方向、及び体格に依存して変化する各放射線検出器１０２に到達する放射線の強度に合わせて、適切な検知感度が算出される。算出された検知感度は、それぞれ対応する放射線検出器１０２ａ，１０２ｂ，１０２ｃに制御部１０５ａ，１０５ｂ，１０５ｃを介して伝達される。
【００５７】
次に、ステップＳ３０３で検知判定閾値設定部２０２の作用により放射線照射開始を判定する検知判定閾値を設定するが、本ステップＳ３０３を含め、以降の処理は、第１の実施形態で説明したステップＳ３０３乃至Ｓ３０９と同様であるため説明を省略する。
【００５８】
以上のように、本実施形態によれば、被検体情報（撮像部位情報）に応じて検知感度を調整することで、放射線検出器の検知感度を適切に設定することができる。
【００５９】
＜その他の実施形態＞
以上、本発明にかかる実施形態について説明したが、本発明はこれらに限定されるものではなく、請求項に記載された範囲内において変更・変形することが可能である。例えば、本発明は、以下の処理を実行することによっても実現される。上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵなど）がプログラムを読み出して実行する処理である。
【００６０】
また、上記の実施形態では、複数の放射線検出器１０２ａ，１０２ｂ，１０２ｃを用いた。しかし、１つの放射線検出器１０２の撮影領域における固体撮像素子（検出部）又は分割領域の配置に基づいて、検知感度設定部（感度設定部）１０９が、検出素子（検出部）又は分割領域の感度を設定してもよい。
【００６１】
例えば、検知感度設定部１０９は、１つの放射線検出器１０２の撮影領域を複数の領域（分割領域）に分割し、放射線の照射範囲の中央から遠くに配置される領域ほど、感度を大きく設定する。この場合、撮影領域は、放射線の照射範囲の中央を中心とする同心円状に分割されてもよいし、格子状に分割されてもよい。
【符号の説明】
【００６２】
１００，４００  放射線撮像装置
１０１  放射線発生部
１０２  放射線検出器（ＦＰＤ）
１０３  被検体
１０４  放射線発生装置
１０５  制御部
１０６  ＣＰＵバス
１０７  配置設定部
１０９  検知感度設定部（感度設定部）
１１０  画像処理部
１１１  画像保存部
１１２  操作部
１１３  表示部
１２０  前処理部
１２１  画像合成部
１２２  診断用画像処理部
２０１  Ｉ／Ｆ部（インターフェース部）
２０２  検知判定閾値設定部（閾値設定部）
２０３  撮像部
２０４  放射線照射判定部（判定部）      ２０５  駆動制御部
２０６  Ａ／Ｄ変換部                    ４０７  撮影部位設定部（情報設定部）
【図１】
2017217032.tif 000003
【図２】
2017217032.tif 000004
【図３】
2017217032.tif 000005
【図４】
2017217032.tif 000006
【図５】
2017217032.tif 000007
【図６】
2017217032.tif 000008